(57)【要約】【課題】  部品点数が少なくて組立が容易な構成とするとともに、動作品位がよい円滑な動きを実現できるスライド扉装置を提供する。【解決手段】  筐体が備える第１ガイド部、第２ガイド部、および、第３ガイド部がそれぞれ、閉状態のスライド扉が開口に対して真っ直ぐに沈み込むように、スライド扉が備える第１ボス、第２ボス、および、第３ボスを導く鉛直移動部と、スライド扉がスライドして開状態となるように鉛直部から第１ボス、第２ボス、および、第３ボスを導く平行移動部を有する。また、スライド扉が開口に対して真っ直ぐに沈み込むガイド機構にしたがって閉状態からスライドして開状態になる場合に、スライド扉の板バネの自由端側同士の間隔が広がって、スライド扉に付勢力を作用させる。【選択図】  図１
2011014802.tif 000002
【特許請求の範囲】
【請求項１】
筐体と、該筐体に設けられる開口を開閉するスライド扉と、を備え、
該スライド扉が、平板状の扉部と、該扉部の両脇側に設けられる係止部と、該係止部の一方端側から突出する第１ボスと、該係止部の他方端側から突出する第２ボスと、閉状態の該スライド扉が該開口に対して沈み込む方向に該第１ボスあるいは該第２ボスから離隔して設けられる第３ボスと、該係止部に固定端側が取り付けられる板バネと、を備え、
該筐体が、該開口と、該スライド扉の該係止部と係合する閉位置係止部と、該スライド扉の該第１ボスが摺動する第１ガイド部と、該スライド扉の該第２ボスが摺動する第２ガイド部と、該スライド扉の該第３ボスが摺動する第３ガイド部と、該スライド扉の該板バネの自由端側が当接して摺動する溝部と、を備え、
該第１ガイド部、該第２ガイド部、および、該第３ガイド部がそれぞれ、閉状態の該スライド扉が該開口に対して真っ直ぐに沈み込むように該第１ボス、該第２ボス、および、該第３ボスを導く鉛直移動部と、該スライド扉がスライドして開状態となるように該鉛直部から該第１ボス、該第２ボス、および、該第３ボスを導く平行移動部を有する、
筐体のスライド扉装置。
【請求項２】
前記筐体の前記第１ガイド部、前記第２ガイド部、および、前記第３ガイド部が、それぞれの前記鉛直移動部と前記平行移動部との間を面取りして設けられる斜行移動部をさらに有する、
請求項１に記載の筐体のスライド扉装置。
【請求項３】
筐体と、該筐体に設けられる開口を開閉するスライド扉と、を備え、
該スライド扉が、平板状の扉部と、該扉部の両脇側に設けられる係止部と、該係止部に中央固定端側が取り付けられる板バネと、を備え、
該筐体が、該開口と、該スライド扉の該係止部と係合する閉位置係止部と、該スライド扉の該板バネの自由端側が当接して摺動する溝部と、を備え、
該スライド扉が該開口に対して真っ直ぐに沈み込むガイド機構にしたがって閉状態からスライドして開状態になる場合に、該溝部に当接する該板バネの該自由端側同士の間隔が広がって、該スライド扉に付勢力を作用させる、
筐体のスライド扉装置。
【請求項４】
前記スライド扉が、前記ガイド機構を構成する前記係止部から突出する前面側ボスと、閉状態の該スライド扉が該開口に対して沈み込む方向に該前面側ボスから離隔して設けられる背面側ボスと、をさらに備え、
前記筐体が、該ガイド機構を構成する該スライド扉の該前面側ボスが摺動する前面側ガイド部と、該スライド扉の該背面側ボスが摺動する背面側ガイド部と、該スライド扉の該板バネの自由端側が当接して摺動する溝部と、を備え、
該前面側ガイド部および該背面側ガイド部がそれぞれ、閉状態の該スライド扉が該開口に対して真っ直ぐに沈み込むように該前面側ボスおよび該背面側ボスを導く鉛直移動部と、該スライド扉がスライドして開状態となるように該鉛直部から該前面側ボスまたは該背面側ボスを導く平行移動部を有する、
請求項３に記載の筐体のスライド扉装置。
【請求項５】
前記筐体の前記前面側ガイド部、および、前記背面側ガイド部が、それぞれの前記鉛直移動部と前記平行移動部との間を面取りして設けられる斜行移動部をさらに有する、
請求項４に記載の筐体のスライド扉装置。
【請求項６】
前記開口を前記筐体の内部側から覆うカバー部材をさらに備え、該カバー部材が、該開口から露出する端子を固定する端子固定部と、該筐体の前記溝部と、該筐体の前記閉位置係止部と、を一体に形成されている、
請求項１から５のいずれかに筐体のスライド扉装置。
【請求項７】
請求項１から６いずれかに記載の筐体のスライド扉装置を含む、映像音響機器。
【発明の詳細な説明】
【技術分野】
【０００１】
本発明は、映像音響機器の操作部分に使用される筐体のスライド扉装置に関し、特に、筐体と、筐体に設けられる開口を開閉するスライド扉と、を備えるスライド扉装置に関する。
【背景技術】
【０００２】
映像音響機器の筐体に設けられる開閉扉は、操作ボタン、あるいは、端子等を格納するのに用いられる。これらの開閉扉には、開閉機構が、スライド機構であるスライド扉や、回動機構である回動扉（または、回転機構である回転扉）等がある。スライド扉装置では、筐体に設けられる開口を開閉するスライド扉が、閉状態では筐体の内部側から開口を塞ぎ、開状態では筐体の内部側に収容されるように動作するものがある。特に、ユーザーがスライド扉に触れて開閉動作させるスライド扉装置では、部品点数が少なくて組立が容易な構成とするとともに、動作品位がよい円滑な動きを実現できるようにするのが好ましい。
【０００３】
従来には、例えば、開口した窓部を有する本体外壁の内側に、固定した案内枠と、前記外壁と前記案内枠との間に摺動可能とする蓋部材とを設け、前記蓋部材は前記案内枠との間に設けた押圧されたバネ部材によって外方に付勢され、前記蓋部材によって閉蓋状態にある前記窓部は、前記外壁面とほぼ同一面を保持するようにしたことを特徴とする開閉装置がある。（特許文献１）。
【０００４】
また、従来には、筐体に穿設された窓と、この窓に嵌合可能な形状の突出表面部が形成された扉部材と、この扉部材を前記筐体の内面に沿ってスライド自在に収容する案内枠体と、前記扉部材を前記筐体の内面に向けて付勢するバネ手段と、を備えることを特徴とするスライド式扉構造がある（特許文献２）。
【０００５】
あるいは、従来には、ケースに形成された開口部を介して、他の機器と接続できるようになされた情報処理装置において、前記ケースの内側より、前記開口部に押し付けられて、前記開口部を閉じる蓋と、前記開口部側からの押圧により前記蓋が沈み込むようにして、前記蓋を前記開口部に押圧する押圧機構と、前記押圧機構によって前記開口部に前記蓋が押し付けられた状態では、前記蓋のスライド操作を困難とし、前記蓋が沈み込んだ状態では、前記蓋をスライド操作可能とするロック機構と、前記蓋のスライド操作に対応して前記蓋をガイドするガイド機構と、を備えることを特徴とする情報処理装置がある（特許文献３）。
【先行技術文献】
【特許文献】
【０００６】
【特許文献１】実開昭６２−１６６６７６号公報  （第１図、第２図）
【特許文献２】実開昭６３−９３６８０号公報  （第１図〜第４図）
【特許文献３】特開２００４−２７２７０７号公報  （第１図〜第６図）
【０００７】
しかしながら、ユーザーがスライド扉を開閉動作させる際に、板バネ等による付勢力に抗してスライド扉を押し込み、次に筐体の内側へとスライドさせ開状態とする場合に、スライド扉を押し込む位置がスライド扉の重心位置と一致しないと、スライド扉は押す位置によっては傾斜しながら押し下げられてしまうという問題がある。スライド扉の押し込まれる変位長の最も少ない部分が筐体の開口部分の厚み以上に押し込まれなければ、筐体の開口部分に接触してスライド動作をさせることができない、という問題がある。必要以上にスライド扉が押し込まれる変位長が大きくなると、動作品位も悪くなるという問題がある。
【発明の概要】
【発明が解決しようとする課題】
【０００８】
本発明は、上記の従来技術が有する問題を解決するためになされたものであり、その目的は、映像音響機器に使用される筐体のスライド扉装置に関し、部品点数が少なくて組立が容易な構成とするとともに、動作品位がよい円滑な動きを実現できるスライド扉装置を提供することにある。
【課題を解決するための手段】
【０００９】
本発明の筐体のスライド扉装置は、筐体と、筐体に設けられる開口を開閉するスライド扉と、を備え、スライド扉が、平板状の扉部と、扉部の両脇側に設けられる係止部と、係止部の一方端側から突出する第１ボスと、係止部の他方端側から突出する第２ボスと、閉状態のスライド扉が開口に対して沈み込む方向に第１ボスあるいは第２ボスから離隔して設けられる第３ボスと、係止部に固定端側が取り付けられる板バネと、を備え、筐体が、開口と、スライド扉の係止部と係合する閉位置係止部と、スライド扉の第１ボスが摺動する第１ガイド部と、スライド扉の第２ボスが摺動する第２ガイド部と、スライド扉の第３ボスが摺動する第３ガイド部と、スライド扉の板バネの自由端側が当接して摺動する溝部と、を備え、第１ガイド部、第２ガイド部、および、第３ガイド部がそれぞれ、閉状態のスライド扉が開口に対して真っ直ぐに沈み込むように第１ボス、第２ボス、および、第３ボスを導く鉛直移動部と、スライド扉がスライドして開状態となるように鉛直部から第１ボス、第２ボス、および、第３ボスを導く平行移動部を有する。
【００１０】
好ましくは、本発明の筐体のスライド扉装置は、筐体の第１ガイド部、第２ガイド部、および、第３ガイド部が、それぞれの鉛直移動部と平行移動部との間を面取りして設けられる斜行移動部をさらに有する。
【００１１】
また、本発明の筐体のスライド扉装置は、筐体と、筐体に設けられる開口を開閉するスライド扉と、を備え、スライド扉が、平板状の扉部と、扉部の両脇側に設けられる係止部と、係止部に中央固定端側が取り付けられる板バネと、を備え、筐体が、開口と、スライド扉の係止部と係合する閉位置係止部と、スライド扉の板バネの自由端側が当接して摺動する溝部と、を備え、スライド扉が開口に対して真っ直ぐに沈み込むガイド機構にしたがって閉状態からスライドして開状態になる場合に、溝部に当接する板バネの自由端側同士の間隔が広がって、スライド扉に付勢力を作用させる。
【００１２】
好ましくは、本発明の筐体のスライド扉装置は、スライド扉が、ガイド機構を構成する係止部から突出する前面側ボスと、閉状態のスライド扉が開口に対して沈み込む方向に前面側ボスから離隔して設けられる背面側ボスと、をさらに備え、筐体が、ガイド機構を構成するスライド扉の前面側ボスが摺動する前面側ガイド部と、スライド扉の背面側ボスが摺動する背面側ガイド部と、スライド扉の板バネの自由端側が当接して摺動する溝部と、を備え、前面側ガイド部および背面側ガイド部がそれぞれ、閉状態のスライド扉が開口に対して真っ直ぐに沈み込むように前面側ボスおよび背面側ボスを導く鉛直移動部と、スライド扉がスライドして開状態となるように鉛直部から前面側ボスまたは背面側ボスを導く平行移動部を有する。
【００１３】
好ましくは、本発明の筐体のスライド扉装置は、筐体の前面側ガイド部、および、背面側ガイド部が、それぞれの鉛直移動部と平行移動部との間を面取りして設けられる斜行移動部をさらに有する。
【００１４】
さらに、好ましくは、本発明の筐体のスライド扉装置は、開口を筐体の内部側から覆うカバー部材をさらに備え、カバー部材が、開口から露出する端子を固定する端子固定部と、筐体の溝部と、筐体の閉位置係止部と、を一体に形成されている。
【００１５】
また、本発明の映像音響機器は、いずれか上記の筐体のスライド扉装置を含む。
【００１６】
以下、本発明の作用について説明する。
【００１７】
本発明の筐体のスライド扉装置は、筐体と、筐体に設けられる開口を開閉するスライド扉と、を備える。閉状態のスライド扉は、押圧された板バネによって付勢力を与えられて筐体の内部側から開口を塞ぎ、開状態のスライド扉は、筐体の内部側に収容されるようにスライド動作（摺動動作）する。本発明の筐体のスライド扉装置の開閉動作では、スライド扉が筐体の開口に対して真っ直ぐに沈み込む方向に変位する動作と、スライドして筐体の内部側に収容されるように変位する動作と、が含まれる。つまり、本発明の筐体のスライド扉装置では、スライド扉が筐体の開口に対して真っ直ぐに傾くことなく沈み込む方向に変位するガイド機構を有するので、動作品位がよい円滑な動きを実現できる。
【００１８】
具体的には、スライド扉は、平板状の扉部と、扉部の両脇側に設けられる係止部と、係止部の一方端側から突出する第１ボス（または、前面側ボス）と、係止部の他方端側から突出する第２ボス（または、前面側ボス）と、閉状態のスライド扉が開口に対して沈み込む方向に第１ボスあるいは第２ボスから離隔して設けられる第３ボス（または、閉状態のスライド扉が開口に対して沈み込む方向に前面側ボスから離隔して設けられる背面側ボス）と、係止部に固定端側が取り付けられる板バネと、を備える。また、筐体は、開口と、スライド扉の係止部と係合する閉位置係止部と、スライド扉の第１ボスが摺動する第１ガイド部（または、前面側ガイド部）と、スライド扉の第２ボスが摺動する第２ガイド部（または、前面側ガイド部）と、スライド扉の第３ボスが摺動する第３ガイド部（または、背面側ガイド部）と、スライド扉の板バネの自由端側が当接して摺動する溝部と、を備える。
【００１９】
ここで、筐体の第１ガイド部、第２ガイド部、および、第３ガイド部はそれぞれ、閉状態のスライド扉が開口に対して真っ直ぐに沈み込むように第１ボス、第２ボス、および、第３ボスを導く鉛直移動部を少なくとも有する。また、筐体の第１ガイド部、第２ガイド部、および、第３ガイド部はそれぞれ、スライド扉がスライドして開状態となるように鉛直部から第１ボス、第２ボス、および、第３ボスを導く平行移動部を少なくとも有する。板バネは、スライド扉の係止部に中央固定端側が取り付けられて、その自由端側が筐体の溝部と当接して摺動する。つまり、スライド扉が、開口に対して真っ直ぐに沈み込むガイド機構にしたがって閉状態からスライドして開状態になる場合には、溝部に当接する板バネの自由端側同士の間隔が広がって、スライド扉に付勢力を作用させる。したがって、それぞれの鉛直移動部と平行移動部との間を面取りして設けられる斜行移動部をさらに有していれば、開口に対して真っ直ぐに沈み込んでから摺動するスライド扉が円滑に動き、さらに動作品位がよいスライド扉装置が実現できる。
【００２０】
また、本発明の筐体のスライド扉装置では、開口を筐体の内部側から覆うカバー部材を設けて、このカバー部材に、開口から露出する端子を固定する端子固定部と、筐体の溝部と、筐体の閉位置係止部と、を一体に形成してもよい。スライド扉装置の部品点数を少なくして組立が容易な構成とするとともに、スライド扉装置の開口の奥側に、スライド扉が開状態の場合に露出する端子を設けることができる。このスライド扉装置を含む筐体を用いる映像音響機器では、ユーザーがスライド扉を開閉動作させる際の動作品位が良くなるので、他の映像音響機器等を端子に接続する利用形態において、動作品位の良さを堪能することができる。
【発明の効果】
【００２１】
本発明の筐体のスライド扉装置およびこれを用いた映像音響機器は、部品点数が少なくて組立が容易な構成とするとともに、動作品位がよい円滑な動きを実現できる。
【図面の簡単な説明】
【００２２】
【図１】本発明の好ましい実施形態によるスライド扉装置１について説明する斜視図である。（実施例１）
【図２】本発明の好ましい実施形態によるスライド扉装置１のスライド扉３を説明する斜視図である。（実施例１）
【図３】本発明の好ましい実施形態によるスライド扉装置１の筐体２およびカバー部材４を説明する斜視図である。（実施例１）
【図４】本発明の好ましい実施形態によるスライド扉装置１の動作を説明する断面図である。（実施例１）
【図５】本発明の好ましい実施形態によるスライド扉装置１の動作を説明する断面図である。（実施例１）
【図６】本発明の好ましい実施形態によるスライド扉装置１の動作を説明する断面図である。（実施例１）
【発明を実施するための形態】
【００２３】
以下、本発明の好ましい実施形態による筐体のスライド扉装置およびこれを用いた映像音響機器について説明するが、本発明はこれらの実施形態には限定されない。
【実施例１】
【００２４】
図１は、本発明の好ましい実施形態による筐体のスライド扉装置１について説明する図であり、スライド扉装置１を備える映像音響機器であるクレードル装置を斜め前方から見た一部拡大図である。例えば、スライド扉装置１は、筐体２を有するＡＶレシーバー、あるいは、デジタルオーディオプレーヤー（ＤＡＰ）を接続するクレードル装置等の映像音響機器において、機能を選択するスイッチ類、あるいは、接続するための接続端子をスライド扉３の内側に格納するものである。具体的には、本実施例のスライド扉装置１は、図１（ａ）に示すように、筐体２の天板２１に設けられるスライド扉３を閉鎖する「Ｃｌｏｓｅ」の状態では、開口２０の内部の接続端子５を前面に露出させずにデザイン性を高め、一方で、スライド扉３を開放する「Ｏｐｅｎ」の状態では、開口２０の内部の接続端子５を前面に露出するようにして、（図示しない）ＤＡＰを筐体２の内部側に設けられるカバー部材４の凹部に載置して、ＤＡＰの接続端子と接続端子５とを接続することができる。
【００２５】
スライド扉装置１は、ユーザーが指先でスライド扉３をスライドさせて、「Ｃｌｏｓｅ」の状態、および、「Ｏｐｅｎ」の状態を切り換える。ユーザーが指先でスライド扉３を押すと、スライド扉３は、筐体２の天板２１に設けられる略矩形状の開口２０に対して、図示する垂直上下方向に真っ直ぐ沈み込んでから、天板２１の背面側に隠れるように前方から後方へスライドして移動し、開口２０から接続端子５を前面に露出させる。反対に、「Ｏｐｅｎ」の状態からユーザーが指先でスライド扉３を手前側にスライドさせると、スライド扉３は後方から前方へ円滑に移動して、「Ｃｌｏｓｅ」状態で開口２０を閉鎖する。
【００２６】
図２は、スライド扉装置１のスライド扉３を説明する斜視図であり、図３は、筐体２およびカバー部材４を説明する斜視図である。具体的には、図２（ａ）は、スライド扉３を斜め上から見た斜視図であり、図２（ｂ）は、スライド扉３を背面から見た斜視図である。また、図３（ａ）は、筐体２を背面から見た斜視図であり、図３（ｂ）は、カバー部材４を取り付けた状態の筐体２を背面から見た斜視図である。なお、動作の説明に不要なスライド扉装置１の筐体２、スライド扉３、ならびに、カバー部材４の詳細な構成については、図３のように一部を点線で記載し、あるいは、図示並びに説明を省略する。
【００２７】
スライド扉３は、樹脂で形成される基体に、２つの板バネ６が取り付けられて構成されている。スライド扉３の基体は、平板状の扉部３１と、扉部３１の両脇側を含む周囲に設けられる係止部３２と、を含み、扉部３１の前方表側には、ユーザーの指先が当接するように球面状の突起を構成する指掛け３０が設けられている。また、係止部３２は、スライド扉装置１として動作する場合には、筐体２の天板２１の背面側に隠れるように構成され、扉部３１の両脇側には略「ハ」の字状（あるいは、ギリシャ文字の略「Λ」の字状）に形成される板バネ６の中央の固定端側６１が取り付けられる。係止部３２には、さらに、係止部３２の前方側から横方向に突出する第１ボス３３と、係止部３２の後方側から突出する第２ボス３４と、閉状態のスライド扉３が開口２０に対して沈み込む方向である垂直上下方向に第２ボス３４から離隔して設けられる第３ボス３５とを、備える。第１ボス３３および第２ボス３４は、開口２０に近い前面側ボスであり、一方、第３ボス３５は、開口２０から遠くなる背面側ボスである。図視するように、第１ボス３３、第２ボス３４および第３ボス３５は、スライド扉３の係止部３２の両側にそれぞれ設けられている。
【００２８】
スライド扉装置１を構成する筐体２は、厚み約２．０ｍｍの樹脂で形成されていて、天板２１の中央付近に略矩形状の開口２０を有している。天板２１の背面側の開口２０の周囲には、スライド扉３の係止部３２と係合する閉位置係止部２２が設けられる。また、筐体２は、開口２０の左右両側にそれぞれ、スライド扉３の第１ボス３３が摺動する第１ガイド部２３と、スライド扉３の第２ボス３４が摺動する第２ガイド２４部と、スライド扉３の第３ボス３５が摺動する第３ガイド部２５と、カバー部材４を連結する連結部２６と、を備える。筐体２の連結部２６と、カバー部材４は、（図示しない）ネジにより連結される。
【００２９】
また、カバー部材４は、樹脂で形成されていて、筐体２の天板２１の背面側に取り付けられる。カバー部材４は、天板２１の背面側を覆う基体４１と、基体４１の両脇側に設けられて筐体２の連結部２６に連結する連結部４２と、連結部４２を構成する平面に設けられてスライド扉３の板バネ６の自由端側６２および６３が当接して摺動する溝部４３と、基体４１の開口２０に対応する部分に形成されて（図示しない）ＤＡＰ等が載置される凹部４４と、凹部４４に接続端子５を露出するように取り付ける取付孔４５と、を備える。また、カバー部材４は、「Ｏｐｅｎ」状態でスライド扉３が当接する閉位置係止部４６を更に備える。なお、図２〜図６では、接続端子５を省略して図示している。
【００３０】
図４から図６は、本実施例のスライド扉装置１の動作を説明する断面図である。すなわち、図４はスライド扉３を閉鎖する「Ｃｌｏｓｅ」の状態を示し、図５はスライド扉３がスライドしている中間位置での状態を示し、図６はスライド扉３を開放する「Ｏｐｅｎ」の状態を示す図であって、それぞれ、（ａ）についてはスライド扉装置１のＡ−Ａ’側方断面図であり、（ｂ）についてはスライド扉装置１のＢ−Ｂ’側方断面図である。なお、図５（ｃ）は、図５（ｂ）に図示するＣ部分の一部拡大図である。
【００３１】
図４に示すように、本実施例のスライド扉装置１は、スライド扉３を閉鎖する「Ｃｌｏｓｅ」の状態では、平板状の扉部３１が、天板２１の開口２０を概ね塞いで、筐体２の内部側を外観視できないように覆う。スライド扉３の扉部３１の周囲に設けられる係止部３２は、天板２１の開口２０に背面側から係止される。スライド扉３には、板バネ６の中央の固定端側６１が取り付けられるので、「ハ」の字状に開いた板バネ６の自由端側６２および６３が当接するカバー部材４の溝部４３と、スライド扉３の係止部３２との間に板バネ６の付勢力が働いて、スライド扉３は、「Ｃｌｏｓｅ」の状態を保つことができる。なお、図４の「Ｃｌｏｓｅ」の状態では、板バネ６の自由端側６２と６３との間の距離Ｗ０は、本実施例の場合は約３３．０ｍｍである。
【００３２】
次に、本実施例のスライド扉装置１では、図５に示すように、スライド扉３が「Ｃｌｏｓｅ」の状態から図示するＺ方向に、天板２１の開口２０に対して真っ直ぐ沈み込むように移動し、その後に天板２１の背面側に隠れるように前方から後方へ図示するＹ方向にスライドして移動する。ユーザーがスライド扉３の指掛け３０を押してスライド扉３を開閉動作させる際に、板バネ６による付勢力に抗してスライド扉３は、ほとんど傾くことなく真っ直ぐ沈み込むように押し込まれる。図５の状態では、図４の場合よりも約２．５ｍｍだけスライド扉３が沈み込んでいて、板バネ６の自由端側６２と６３との間の距離Ｗ１は、本実施例の場合は約３４．５ｍｍになり、図４の場合よりも広がって大きくなっている。
【００３３】
筐体２が有する第１ガイド部２３、第２ガイド部２４、および、第３ガイド部２５は、それぞれ、スライド扉３が有する第１ボス３３、第２ボス３４、および、第３ボス３５が摺動するので、スライド扉３を両側から支えてスライド可能にする。例えば、図５（ｃ）に拡大して図示するように、第１ガイド部２３は、閉状態のスライド扉３が開口２０に対して真っ直ぐに図示するＺ方向に沈み込むように第１ボス３３を導く鉛直移動部２３ａ（約２．３ｍｍ）と、スライド扉３が図示するＹ方向にスライドして開状態となるように鉛直移動部２３ａから第１ボス３３を導く平行移動部２３ｃ（約３５．０ｍｍ）を有し、これらの鉛直移動部２３ａと平行移動部２３ｃとの間を面取りして設けられて、図示するｘ方向に第１ボス３３を導く斜行移動部２３ｂをさらに有する。また、第２ガイド部２４、および、第３ガイド部２５は、第１ガイド部２３と同一寸法の鉛直移動部、斜行移動部、および、平行移動部を有する。
【００３４】
つまり、スライド扉３の第１ボス３３、第２ボス３４、および、第３ボス３５が、筐体２が有する鉛直移動部を含む第１ガイド部２３、第２ガイド部２４、および、第３ガイド部２５からなるガイド機構にしたがって、スライド扉３を開口２０に対して真っ直ぐに（図示するＺ方向に）沈み込むように移動させる。一方、スライド扉３の第１ボス３３、第２ボス３４、および、第３ボス３５は、筐体２が有する鉛直移動部により、スライド扉３が後方（図示するＹ方向）にスライドしないようにロックする。スライド扉３は、第１ボス３３、第２ボス３４、および、第３ボス３５の３点で支持されているので、スライド扉３を押し込むユーザーの指がスライド扉３の重心位置と一致しない指掛け３０を押すような場合であっても、スライド扉３は傾斜することなく、開口２０に対して真っ直ぐに沈み込んでから動作品位よく摺動する。
【００３５】
さらに、本実施例のスライド扉装置１では、図６に示すように、スライド扉３が天板２１の背面側に隠れる様に移動して開口２０が開き、「Ｏｐｅｎ」の状態になる。天板２１の背面側の開口２０の周囲には、カバー部材４によって閉位置係止部４２が設けられているので、スライド扉３の係止部３２が閉位置係止部２２に係合する。図６の状態では、図４の場合よりも約２．５ｍｍだけスライド扉３が沈み込んでいるので、板バネ６の自由端側６２と６３との間の距離Ｗ２は、本実施例の場合は約３４．５ｍｍになり、図４または図５の場合よりも広がって大きくなってスライド扉３に付勢力を作用させる。ただし、本実施例のスライド扉装置１では、筐体２が有する第１ガイド部２３、第２ガイド部２４、および、第３ガイド部２５は、それぞれの鉛直移動部と平行移動部との間を面取りして設けられる斜行移動部をさらに有しているので、スライド扉３が開口２０に対して真っ直ぐに沈み込んでから摺動するようになり、円滑に動く動作品位がよいスライド扉装置１が実現できる。また、図６の状態では、スライド扉３の指掛け３０が筐体２の天板２１に設けられる開口２０の縁部に当接して、「Ｏｐｅｎ」の状態でのスライド扉３の位置を規定する。
【００３６】
また、本発明の筐体のスライド扉装置１では、開口２０を筐体２の内部側から覆うカバー部材４を設けて、「Ｏｐｅｎ」の状態で開口２０から露出する端子固定部を構成する凹部４４と、接続端子５を固定する取付孔４５とを設けている。また、カバー部材４は、筐体２の連結部２６に内部側からスライド扉３の板バネ６の自由端側６２および６３が当接する溝部４２を一体に形成することができるので、スライド扉装置１の部品点数を少なくして組立が容易な構成とすることができる。
【００３７】
また、本発明の筐体のスライド扉装置１では、図６に示す「Ｏｐｅｎ」の状態から図４に示す「Ｃｌｏｓｅ」の状態にする動作では、ユーザーがスライド扉３の指掛け３０を前方に引くと、スライド扉３が図５に示す状態まで移動し、スライド扉３が板バネ６の付勢力によって上昇して開口２０を閉鎖する。このように、スライド扉３には、常に板バネ６の付勢力が働いているので、ユーザーがスライド扉３を意図して動かさない限り、スライド扉３が移動することはない。このスライド扉装置１を含む筐体を用いる映像音響機器では、ユーザーがスライド扉３を開閉動作させる際の動作品位が良くなるので、他の映像音響機器等を接続端子５に接続する利用形態において、部品点数が少なくて組立が容易な構成とするとともに、動作品位がよい円滑な動きを実現できる。
【００３８】
なお、本発明は上記実施例に限定されない。スライド扉装置１は、図示するようなクレードル装置、あるいは、ＡＶレシーバー等の映像音響機器のスライド扉装置に限られない。上記のスライド扉装置１では、スライド扉３が備える第３ボス３５を、第２ボス３４に近接して、かつ、開口２０に対して沈み込む方向に設けているが、第３ボス３５は、第１ボス３３に近接して、かつ、開口２０に対して沈み込む方向に設けるものであってもよい。
【産業上の利用可能性】
【００３９】
本発明のスライド扉装置は、映像音響機器のみならず、電話機、あるいは、携帯電話機を充電する際に支持する筐体を備える充電器を含む電気電子装置にも適用が可能である。
【符号の説明】
【００４０】
１            スライド扉装置
２            筐体
２０          開口
２１          天板
２２          係止部
２３          第１ガイド部
２４          第２ガイド部
２５          第３ガイド部
２６          連結部
３            スライド扉
３０          指掛け
３１          扉部
３２          係止部
３３          第１ボス
３４          第２ボス
３５          第３ボス
４            カバー部材
４１          基体
４２          連結部
４３          溝部
４４          凹部
４５          端子孔
４６          閉位置係止部
５            接続端子
６            板バネ
６１          固定端側
６２          自由端側
【図１】
2011014802.tif 000003
【図２】
2011014802.tif 000004
【図３】
2011014802.tif 000005
【図４】
2011014802.tif 000006
【図５】
2011014802.tif 000007
【図６】
2011014802.tif 000008
【手続補正書】
【提出日】平成22年8月3日(2010.8.3)
【手続補正１】
【補正対象書類名】特許請求の範囲
【補正対象項目名】全文
【補正方法】変更
【補正の内容】
【特許請求の範囲】
【請求項１】
筐体と、該筐体に設けられる開口を開閉するスライド扉と、を備え、
該スライド扉が、平板状の扉部と、該扉部の両脇側に設けられる係止部と、該係止部の一方端側から突出する第１ボスと、該係止部の他方端側から突出する第２ボスと、閉状態の該スライド扉が該開口に対して沈み込む方向に該第１ボスあるいは該第２ボスから離隔して設けられる第３ボスと、該係止部に固定端側が取り付けられる板バネと、を備え、
該筐体が、該開口と、該スライド扉の該係止部と係合する閉位置係止部と、該スライド扉の該第１ボスが摺動する第１ガイド部と、該スライド扉の該第２ボスが摺動する第２ガイド部と、該スライド扉の該第３ボスが摺動する第３ガイド部と、該スライド扉の該板バネの自由端側が当接して摺動する溝部と、を備え、
該第１ガイド部、該第２ガイド部、および、該第３ガイド部がそれぞれ、閉状態の該スライド扉が該開口に対して真っ直ぐに沈み込むように該第１ボス、該第２ボス、および、該第３ボスを導く鉛直移動部と、該スライド扉がスライドして開状態となるように該鉛直部から該第１ボス、該第２ボス、および、該第３ボスを導く平行移動部を有する、
筐体のスライド扉装置。
【請求項２】
前記筐体の前記第１ガイド部、前記第２ガイド部、および、前記第３ガイド部が、それぞれの前記鉛直移動部と前記平行移動部との間を面取りして設けられる斜行移動部をさらに有する、
請求項１に記載の筐体のスライド扉装置。
【請求項３】
筐体と、該筐体に設けられる開口を開閉するスライド扉と、を備え、
該スライド扉が、平板状の扉部と、該扉部の両脇側に設けられる係止部と、該係止部に中央固定端側が取り付けられる板バネと、を備え、
該筐体が、該開口と、該スライド扉の該係止部と係合する閉位置係止部と、該スライド扉の該板バネの自由端側が当接して摺動する溝部と、を備え、
該スライド扉が該開口に対して真っ直ぐに沈み込むガイド機構にしたがって閉状態からスライドして開状態になる場合に、該溝部に当接する該板バネの該自由端側同士の間隔が広がって、該スライド扉に付勢力を作用させる、
筐体のスライド扉装置。
【請求項４】
前記スライド扉が、前記ガイド機構を構成する前記係止部から突出する前面側ボスと、閉状態の該スライド扉が該開口に対して沈み込む方向に該前面側ボスから離隔して設けられる背面側ボスと、をさらに備え、
前記筐体が、該ガイド機構を構成する該スライド扉の該前面側ボスが摺動する前面側ガイド部と、該スライド扉の該背面側ボスが摺動する背面側ガイド部と、該スライド扉の該板バネの自由端側が当接して摺動する溝部と、を備え、
該前面側ガイド部および該背面側ガイド部がそれぞれ、閉状態の該スライド扉が該開口に対して真っ直ぐに沈み込むように該前面側ボスおよび該背面側ボスを導く鉛直移動部と、該スライド扉がスライドして開状態となるように該鉛直移動部から該前面側ボスまたは該背面側ボスを導く平行移動部を有する、
請求項３に記載の筐体のスライド扉装置。
【請求項５】
前記筐体の前記前面側ガイド部、および、前記背面側ガイド部が、それぞれの前記鉛直移動部と前記平行移動部との間を面取りして設けられる斜行移動部をさらに有する、
請求項４に記載の筐体のスライド扉装置。
【請求項６】
前記開口を前記筐体の内部側から覆うカバー部材をさらに備え、該カバー部材が、該開口から露出する端子を固定する端子固定部と、該筐体の前記溝部と、該筐体の前記閉位置係止部と、を一体に形成されている、
請求項１から５のいずれかに筐体のスライド扉装置。
【請求項７】
請求項１から６いずれかに記載の筐体のスライド扉装置を含む、映像音響機器。
【手続補正２】
【補正対象書類名】明細書
【補正対象項目名】００３５
【補正方法】変更
【補正の内容】
【００３５】
さらに、本実施例のスライド扉装置１では、図６に示すように、スライド扉３が天板２１の背面側に隠れる様に移動して開口２０が開き、「Ｏｐｅｎ」の状態になる。天板２１の背面側の開口２０の周囲には、カバー部材４によって閉位置係止部４６が設けられているので、スライド扉３の係止部３２が閉位置係止部４６に係合する。図６の状態では、図４の場合よりも約２．５ｍｍだけスライド扉３が沈み込んでいるので、板バネ６の自由端側６２と６３との間の距離Ｗ２は、本実施例の場合は約３４．５ｍｍになり、図４または図５の場合よりも広がって大きくなってスライド扉３に付勢力を作用させる。ただし、本実施例のスライド扉装置１では、筐体２が有する第１ガイド部２３、第２ガイド部２４、および、第３ガイド部２５は、それぞれの鉛直移動部と平行移動部との間を面取りして設けられる斜行移動部をさらに有しているので、スライド扉３が開口２０に対して真っ直ぐに沈み込んでから摺動するようになり、円滑に動く動作品位がよいスライド扉装置１が実現できる。また、図６の状態では、スライド扉３の指掛け３０が筐体２の天板２１に設けられる開口２０の縁部に当接して、「Ｏｐｅｎ」の状態でのスライド扉３の位置を規定する。
【手続補正３】
【補正対象書類名】明細書
【補正対象項目名】００３６
【補正方法】変更
【補正の内容】
【００３６】
また、本発明の筐体のスライド扉装置１では、開口２０を筐体２の内部側から覆うカバー部材４を設けて、「Ｏｐｅｎ」の状態で開口２０から露出する端子固定部を構成する凹部４４と、接続端子５を固定する取付孔４５とを設けている。また、カバー部材４は、筐体２の連結部２６に内部側からスライド扉３の板バネ６の自由端側６２および６３が当接する溝部４３を一体に形成することができるので、スライド扉装置１の部品点数を少なくして組立が容易な構成とすることができる。